(57)【要約】【課題】大きさや形状などを自由に変えた画像・文字やマークなどの印刷部を形成でき、オンデマンドで少量・多種類の注文にも応じることもでき、また被処理物に芳香を発したり、消臭性能を発揮させたりできるトナーおよびそれを用いたシートの提供。【解決手段】電子写真方式で用いられるトナーであって、芳香・消臭剤とバインダ樹脂成分を主成分とするトナーあるいはトナーと、芳香・消臭剤とを含む電子写真方式用現像剤および、シート基材面の所定部に、芳香・消臭剤を含むトナーないし電子写真方式用現像剤による印刷部が形成されてなるシートにより課題を解決できる。【選択図】　　　図１
2004086042.tif 000002
【特許請求の範囲】
【請求項１】
電子写真方式で用いられるトナーであって、芳香・消臭剤とバインダ樹脂成分を主成分とすることを特徴とする芳香・消臭剤を含むトナー。
【請求項２】
トナーと、芳香・消臭剤とを含むことを特徴とする電子写真方式用現像剤。
【請求項３】
シート基材面の所定部に、請求項１あるいは請求項２記載の芳香・消臭剤を含むトナーないし電子写真方式用現像剤による印刷部が形成されてなることを特徴とするシート。
【発明の詳細な説明】
【０００１】
【発明の属する技術分野】
本発明は、電子写真方式で用いられる芳香・消臭剤を含むトナーおよび現像剤、これを用いた印刷部が形成されてなるシートに関するものである。
【０００２】
【従来の技術】
従来、芳香剤あるいは消臭剤をそのままあるいはマイクロカプセル化した芳香・消臭剤（以下、いずれも芳香・消臭剤と称す場合がある）を配合した印刷インクを被処理物に塗工して、被処理物に芳香を付与したり、被処理物面を押したり擦ったりして芳香剤を芯物質として含むマイクロカプセルを破壊して芳香を発するようにしたり、被処理物に消臭性能を付与したりすることが知られている。
【０００３】
【発明が解決しようとする課題】
しかし、従来は芳香・消臭剤を配合した印刷インクを被処理物面にスプレーなどで手で塗工したり、シート基材などの被処理物面にシルクスクリーン印刷機などにより塗布した後、必要に応じて乾燥して印刷部を形成したりしていたので、手で塗工する場合は効率が悪く、一方、印刷法の場合は多量生産ができ生産性には優れているが、印刷用版が必要なため印刷部の大きさや形状変更の自由度が小さく、所定の大きさや形状のものに限定され、無版方式でのオンデマンドで少量・多種類の注文には応じられないという問題があった。
【０００４】
本発明の第１の目的は、従来の問題に鑑み、印刷部の大きさや形状などを自由に変えることができ、オンデマンドで少量・多種類の注文にも応じることができ、しかも被処理物に芳香を付与したり、被処理物面を押したり擦ったりして芳香剤を芯物質として含むマイクロカプセルを破壊して芳香を発するようにしたり、被処理物に消臭性能を付与したりすることができる電子写真方式で用いられるトナーないし現像剤を提供することであり、
本発明の第２の目的は、そのようなトナーないし現像剤を用いて、印刷部が形成されてなるシートであって、芳香を発したり、消臭性能を有するので、各種のシート状パッケージや商品、入場券、領収書、有価証券、磁気カード、ＩＣカード、リライトカードなどの種々の用途に適用できるようなシートを提供することである。
【０００５】
【課題を解決するための手段】
すなわち、本発明の請求項１記載の芳香・消臭剤を含むトナーは、電子写真方式で用いられるトナーであって、芳香・消臭剤とバインダ樹脂成分を主成分とすることを特徴とする。
【０００６】
本発明の芳香・消臭剤を含むトナーは、電子写真方式で用いられるトナーであるので環境負荷が少なく、大きさや形状などを自由に変えた画像・文字やマークなどを含む各種印刷部をシート基材などの被処理物面に容易に形成できる。また印刷用版が必要でないので、無版方式であり、オンデマンドで少量・多種類の注文にも応じることもできる。芳香・消臭剤を含むので、被処理物に芳香を付与したり、被処理物面を押したり擦ったりして芳香剤を芯物質として含むマイクロカプセルを破壊して芳香を発するようにしたり、被処理物に消臭性能を付与したりすることができる。
【０００７】
本発明の請求項２は、トナーと、芳香・消臭剤とを含むことを特徴とする電子写真方式用現像剤である。
【０００８】
二成分現像剤を作製する場合、芳香・消臭剤は、普通、トナーに配合するが、キャリアに芳香・消臭剤を配合することもでき、芳香・消臭剤を含有しないトナーと芳香・消臭剤を含有しないキャリアと芳香・消臭剤とを混合して現像剤を調製することもでき、トナー及びキャリアの少なくとも一方に芳香・消臭剤を配合し、さらに芳香・消臭剤を混合して現像剤を調製することもでき、これらは、上記芳香・消臭剤を含むトナーとほぼ同様の機能を有する。
【０００９】
本発明の請求項３は、シート基材面の所定部に、請求項１あるいは請求項２記載の芳香・消臭剤を含むトナーないし電子写真方式用現像剤による印刷部が形成されてなることを特徴とするシートである。
【００１０】
本発明のシートは、構成が簡単で安価であり、電子写真方式で用いられる本発明のトナーによる印刷部が形成されるので、デジタルデータにより大きさや形状などを自由に変えた画像・文字やマークなどの各種の印刷部を容易に形成でき、また印刷用版が必要でないのでオンデマンドで少量・多種類の注文にも応じることもでき、また印刷部に芳香・消臭剤が含まれるので、芳香を付与したり、印刷部を押したり擦ったりして芳香剤を芯物質として含むマイクロカプセルを破壊して芳香を発したり、あるいは消臭性能を有するので、ダイレクトメール、親展ハガキ、カレンダー、各種のシート状パッケージや商品、入場券、領収書、有価証券、磁気カード、ＩＣカード、リライトカードなどの種々の用途に適用できる。
【００１１】
【発明の実施の形態】
以下、本発明の実施の形態を詳細に説明する。
図１は、本発明の芳香・消臭剤を含むトナーを用いて印字したシートの一実施例を示す説明図である。
図２は、本発明の芳香・消臭剤を含むトナーを用いて形成した印刷部（保護層）を有する他のシートである磁気カードの断面を示す断面説明図である。
図３は、本発明の芳香・消臭剤を含むトナーを用いて形成した他の印刷部を有する他のシートの断面を示す断面説明図である。
【００１２】
図１に例示したように、本発明の芳香・消臭剤を含むトナー（好ましくは、バインダ樹脂成分は無色透明で、芳香・消臭剤の特性を損なわない範囲で発像成分としての有色顔料ないし有色染料が配合されている）を用いて、公知の電子写真方式を用いて紙などのシート基材２の上の所定部に文字（印刷部）３が印字されて有価証券１が形成されている。電子写真方式を用いるので文字（印刷部）３は、大きさや形状などを自由に変えることができ、オンデマンドで少量・多種類の注文にも応じることができる。有価証券１の文字（印刷部）３に芳香・消臭剤が含まれるので、芳香を発したり、文字（印刷部）３を押したり擦ったりして芳香剤を芯物質として含むマイクロカプセルを破壊して芳香を発したり、あるいは文字（印刷部）３は消臭性能を有する。
この例では印刷部として文字を印字した例を示したが、使用目的に応じて画像やマークあるいはこれらの組み合わせなどであってもよい。
【００１３】
図２に例示したように、磁気カード１Ａは、センターコア材とオーバーシート材を積層（図示せず）してなるカード基材２Ａ面に磁気記録層３Ａが定着され、さらに、このカード基材２Ａ面には接着剤成分からなるアンカー層４を介してアルミ粉含有の銀色インクからなる隠蔽層５が設けられており、この隠蔽層５面には画像やマークあるいはこれらの組み合わせなどの所望の印刷層６が施されると共に、その外表面には印刷層６を被覆保護するために電子写真方式で本発明の芳香・消臭剤を含むトナーを用いて印刷部７Ａが積層されている。８は芳香・消臭剤を示す。
なおこの例におけるシート基材は、カード基材２Ａ、磁気記録層３Ａ、アンカー層４、隠蔽層５、印刷層６が積層されたものであり、本発明のシート１Ａ（磁気カード１Ａ）は、印刷層６の外表面に本発明の芳香・消臭剤を含むトナーを用いて印刷部７Ａが積層されてなる。
【００１４】
本発明の芳香・消臭剤を含むトナーを用いて電子写真方式でシート基材面に印刷部７Ａを形成するので、有価証券類や磁気カード、ＩＣカード、リライトカードなどのシート基材面に大きさや形状などを自由に変えた所望の印刷部７Ａを容易に形成でき、しかも形成された印刷部７Ａは強靱で、折り曲げても割れなどが発生しないなどの特性を有し、バインダ樹脂成分の種類やその配合割合によっては透明性を有するので印刷部７Ａの下の印刷層６を見ることができる上、印刷部７Ａに芳香・消臭剤８が含まれるので、芳香を発したり、印刷部７Ａを押したり擦ったりして芳香剤を芯物質として含むマイクロカプセルを破壊して芳香を発したり、あるいは消臭性能を有する。
この例では印刷部６として画像やマークあるいはこれらの組み合わせなどを印字した例を示したが、使用目的に応じて文字などであってもよい。
【００１５】
図３に例示したように、本発明のシート１Ｂは、本発明の芳香・消臭剤を含むトナーを用いて、公知の電子写真方式を用いて粘着シート基材２Ｂの上の所定部に印刷部７Ｂが積層されて形成されている。８は芳香・消臭剤、９は粘着層を示す。電子写真方式を用いるので印刷部７Ｂは、大きさや形状などを自由に変えることができ、オンデマンドで少量・多種類の注文にも応じることができる。本発明の粘着シート１Ｂは、粘着層９により例えば、各種のプラスチックス、ガラス、金属、セラミックス、紙、木などあるいはこれらの組み合わせからなる対象物に強固に粘着・接着でき、対象物は、芳香を発したり、印刷部７Ａを押したり擦ったりして芳香剤を芯物質として含むマイクロカプセルを破壊して芳香を発したり、あるいは消臭性能を有する。
【００１６】
粘着層９を形成するための粘着剤基剤は、特に限定されるものではなく、例えば、天然ゴム、合成ゴム、合成樹脂などあるいはこれらの２種以上の混合物、あるいはこれらの粘着剤基材にさらに公知の粘着付与剤、充填剤、酸化防止剤、防かび剤、防腐剤、分散剤、ｐＨ調整剤、可塑剤、消泡剤、その他の所望の添加剤などを配合したものを挙げることができる。
【００１７】
例えば、ガラス、金属、プラスチックス、木、紙、セラミックスあるいはこれらの組み合わせからなる対象物に粘着・接着した本発明のシート１Ｂは、芳香を発したり、あるいは消臭性能を有するので、本発明の粘着シート１Ｂを粘着・接着した対象物を住居やオフィスなどの居住空間に置いたり、本発明の粘着シート１Ｂを居住空間にある対象物に粘着・接着すれば、居住空間に芳香を漂わすことができたり、あるいは住居やオフィスなどの悪臭の原因となる成分（硫化水素、メチルメルカプタン、トリメチルアミン、アンモニアなど）が消臭剤近傍にきたり、接触したりすることにより吸着、吸収されたり、あるいは触媒作用による化学反応により消臭されるので居住空間の脱臭を行うことができる。
【００１８】
次に電子写真方式について述べる。
一般的には光導電性絶縁体（フォトコンドラムなど）を利用し、コロナ放電などにより光導電性絶縁体上に一様な静電荷を与え、各種の手段により、この光導電性絶縁体上に光像を照射することによって静電潜像を形成し、次いで、潜像をトナー微粉末を用いて現像可視化し、紙などにトナー画像を転写した後、加圧、加熱、溶剤蒸発、光などの照射などの手段により紙などの記録媒体上にトナー画像を定着させて複写物を得る電子写真方式印刷（例えば、米国特許第２２９７６９１号など）や、光導電性絶縁体上に光像を照射する電子写真方式印刷などが広く用いられている。
これらのトナーとしては、天然または合成高分子よりなるバインダ樹脂成分中に発像成分としてカーボンブラックなどの有色顔料ないし有色染料を分散させたものを５〜２０μｍ程度に微粉砕した粒子が用いられている。かかるトナーは通常トナー単体もしくは鉄粉、ガラスビーズなどの担体物質（キャリア）と混合して用いられる。
【００１９】
本発明で用いるバインダ樹脂成分としては、従来トナーのバインダ樹脂成分として用いられている天然および／または合成高分子を挙げることができる。
具体例としては、例えばポリエステル、ポリエチレン、ポリスチレンやスチレン共重合体（例えば、スチレン−アクリル樹脂、スチレン−ブタジエン樹脂など）、アクリレートおよびメタクリレート樹脂、ポリ塩化ビニル樹脂、酢酸ビニル樹脂、塩化ビニル／酢酸ビニル共重合樹脂、塩化ビニル／酢酸ビニル／マレイン酸共重合樹脂、ビニルブチラール樹脂、ポリビニルアルコール樹脂、ポリウレタン樹脂、ポリイミド樹脂、ポリアミド樹脂、ポリエーテル樹脂、エポキシ系樹脂などを挙げることができる。これらは２種以上混合し用いることもできる。
【００２０】
本発明で用いるバインダ樹脂成分の種類や分子量などは、本発明で用いるシート基材面への接着性や使用する電子写真方式に合わせるなどして最適に調整されるものであり、特に限定されるものではない。
【００２１】
しかし、前述の図２に示したような実施の形態においては、バインダ樹脂成分の中でも無色透明であって透光性がよいバインダ樹脂成分を用いることが好ましい。
【００２２】
本発明で用いる芳香・消臭剤としては、その種類は限定されることはない。
本発明で用いる芳香剤としては、液状のものでも、固体状のものでもよく、これらの２種以上の組み合わせであってもよく、特に限定されるものではない。
芳香剤としては、具体的には、例えば、不安解消や抗うつ作用のある香料であるベルガモット、ラベンダー、ローズマリー、シナモンなどの精油、覚醒（眠気さまし）用香料であるはっか、ユーカリ、ベルベナ、サルビア、ヒソップなど、その他、リュウゼン香、安息香、海狸香、霊猫香、丁字油、ガルバナム、ジャスミンアブソリュート、ラブタナム、マテ茶、メリロット、ミモザ、ムスクトンキン、ミルラ、オークモスまたはモスドシェーヌ、乳香、ビャクシ香、オリス、バチュリ、ローズマリー油、白檀油、ベチバー油、バイオレットリーフアブソリュートなどの天然香料、高級アルコール、アルデヒド、ベンズアルデヒド、安息香酸、ケイ皮酸、ケイ皮アルデヒド、ケイ皮アルコール、クマリン、エステル、インドール、ケトン、サリチル酸と関連化合物、テルペノイド、バニリンなどの各種の合成香料あるいはこれらの２つ以上の混合物を挙げることができる。市販品を使用することもできる。
【００２３】
本発明で用いる消臭剤としては、液状のものでも、固体状のものでもよく、また無機系でも、有機系でもよく、あるいはこれらの２種以上の組み合わせであってもよく、特に限定されるものではない。
消臭剤としては、具体的には、例えば、臭気成分を吸着、吸収する例としてシリカ微細粒子、コロイダルシリカ、モレキュラーシーブ微細粒子、二酸化チタン微細粒子、アルミナ微細粒子、天然ゼオライト微細粒子、合成ゼオライト微細粒子、炭酸カルシウム微細粒子、活性白土微細粒子、酸性白土微細粒子、ガラス微細粒子、シラスバルーン微細粒子、活性炭などの多孔質微細粒子の単独あるいは２種以上組み合わせを挙げることができる。これらの中でもやし殻、石炭、石油系ピッチ、オイルカーボンなどの炭素質材料を原料とする活性炭であって、ＢＥＴ法による比表面積が、４００ｍ２　／ｇ以上、より好ましくは、１０００ｍ２　／ｇ以上である活性炭には好ましく使用できる。
【００２４】
臭気成分に対して触媒として作用して化学反応を起こし臭気のない成分に変える作用を有する消臭剤は、吸着、吸収する前記の消臭剤が脱臭作用を有するが、吸着量に限度があるのに対して、その脱臭作用が半永久的に維持するので本発明において好ましく使用できる。このような触媒作用を有する消臭剤はすでによく知られており本発明においては公知のものを使用できる。触媒作用を有する消臭剤の例としては、例えば、Ｃｕ触媒、Ｍｎ触媒あるいはこれらの組み合わせを挙げることができる。
【００２５】
また、Ｃｕ触媒とＭｎ触媒とのいずれか一方を前記活性炭に添着してハイブリッド化した消臭剤は、活性炭が空気中に含まれる臭気成分を吸着、吸収するとともに、空気中に含まれる臭気成分はＣｕ触媒、Ｍｎ触媒に接触すると、酸化分解され、また、活性炭に添着したＣｕ触媒、Ｍｎ触媒の触媒作用により活性炭に吸着された臭気成分も酸化分解されて活性炭表面から除去されるので、活性炭表面を常にきれいに保ことができるので本発明において好ましく使用できる。
【００２６】
本発明で用いる芳香剤や消臭剤は、マイクロカプセル化して用いることもできる。例えば芳香剤をマイクロカプセル化すると、取り扱い易くなるとともに、芳香剤がマイクロカプセルの壁を経て徐放されるので長時間にわたり効果が持続する効果が得られたり、あるいはマイクロカプセルを手で擦るなどして破壊して芳香を一度にただよわせることもできる。消臭剤をマイクロカプセル化すると、取り扱い易くなるとともに、長時間にわたり効果を持続することができる。
カプセル壁材については、例えばゼラチン、ポリアミド、ポリウレタン、ポリエステル、ポリ尿素、ポリスルホンアミド、ポリスルホネート、ポリウレアなどである。また、カプセル生成手段においては、従来から慣用されている方法、例えば、インサイチュ法、界面重合法、コアセルベーション法、あるいは、オリフィス法も用いることができる。例えば、芳香剤を芯物質とし、酸触媒および乳化・分散剤的機能を有するスチレン無水マレイン酸共重合体の部分加水分解物と、ポリマーを形成する反応成分としてメラミンまたは尿素とホルマリン、あるいは、これらの初期重縮合物を用い、インサイチュ法によってメラミンまたは尿素−ホルマリン樹脂をカプセル壁材として形成してマイクロカプセルを得ることができる。
【００２７】
本発明においてはバインダ樹脂成分に対する芳香・消臭剤の配合量は特に限定されるものではない。しかし、トナー全体に対して、芳香・消臭剤が１〜５０質量％、好ましくは５〜４０質量％、より好ましくは１０〜３０質量％配合されていることが好ましい。芳香・消臭剤が１質量％未満では芳香・消臭剤の特性が発揮されない恐れがあり、５０質量％を超えると印刷部の強度や耐引っ掻き性などが低下し、剥離し易くなるので好ましくない。
【００２８】
本発明のトナーには、特性を損なわない範囲で、さらに、所望に応じて慣用されている添加成分、例えば、第４級アンモニウム塩、アゾ系含金属錯体、サリチル酸類金属錯体、カリックスアレーン類、アミノ基含有フツ化物などの公知の帯電制御剤、オレフィン系ワックス、カルナバワックスなどの公知の離型剤、安定剤、滑剤、流動性改善のための未処理、あるいは公知のカップリング剤で表面処理したシリカ、アルミナ、チタニア、酸化チタン、樹脂微粒子などの外添剤、鉄粉、フェライト粉、磁性粉入り樹脂粒子などの公知の磁性粉、などを少量含有させることができる。
さらに特性を損なわない範囲で、必要に応じて、鉄粉、フェライト粉、磁性粉入り樹脂粒子などのコア材料、シリコーン型ポリマー、フツ素型ポリマーなどのコート材料、カーボンブラック、樹脂微粒子などの帯電制御剤からなる公知のキャリアを併用してもよい。キャリアの粒径は解像度の点から２００μｍ以下が好ましく、１００μｍ以下がより好ましい。
【００２９】
帯電制御剤や離型剤の配合量は特に限定されるものではないが、帯電制御性および離型性の観点から、バインダ樹脂成分４０〜６５質量部、芳香・消臭剤１〜３０質量部に対して、帯電制御剤が０．１〜５質量部、離型剤が０．１〜１０質量部配合されていることが好ましい。
【００３０】
本発明のトナーは、粉砕法、重合法、粒子析出法などの従来公知の方法で製造できる。たとえば、バインダ樹脂成分、芳香・消臭剤、および要すれば帯電制御剤、離型剤などを、例えば加圧ニーダ、ロールミル、エクストルーダなどにより溶融混練して均一に分散し、例えばジェットミルなどにより微粉砕して、風力分級機などの分級機により分級して所望のトナーを得ることができる。
【００３１】
本発明のトナーの粒径は、解像度の点から１５μｍ以下が好ましいが、８μｍ以下がより好ましい。
【００３２】
本発明のトナーの転写方法は、公知の方法で行うことができるが、例示すれば、静電潜像転写、静電コロナ転写、静電ベルト転写、静電ローラー転写、粘着転写、圧力転写、磁気転写などによるトナー転写を挙げることができる。
多色あるいは複数のトナーを使用する場合の方法は、多重現像方式や転写ドラム方式、中間転写方式、タンデム方式などの多重転写方式などが挙げられるがこの限りではない。
【００３３】
本発明で用いるシート基材の素材としては、ガラス繊維、アルミナ繊維、ポリエステル繊維、ポリアミド繊維などの無機または有機繊維からなる織布、不織布、マット、紙（例えば、上質紙、中質紙、合成紙、各種再生紙、アート紙、コート紙、ミラーコート紙、コンデンサー紙、パラフィン紙、その他の紙の他に、それにオーバーコート層（保護層）をもつ用紙など）あるいはこれらを組み合わせたもの、あるいはこれらに樹脂ワニスを含浸させて成形した複合シート基材、ポリアミド系樹脂シート基材、ポリエステル系樹脂シート基材、ポリオレフィン系樹脂シート基材、ポリイミド系樹脂シート基材、エチレン・ビニルアルコール共重合体シート基材、ポリビニルアルコール系樹脂シート基材、ポリ塩化ビニル系樹脂シート基材、ポリ塩化ビニリデン系樹脂シート基材、ポリスチレン系樹脂シート基材、ポリカーボネート系樹脂シート基材、アクリロニトリルブタジエンスチレン共重合系樹脂シート基材、ポリエーテルスルホン系樹脂シート基材などのプラスチックシート基材、あるいはこれらにコロナ放電処理、プラズマ処理、紫外線照射処理、電子線照射処理、フレームプラズマ処理およびオゾン処理などの表面処理を施したもの、などの公知のものから選択して用いることができる。
【００３４】
（トナー及び現像剤の製造方法）
乾式トナーは製造方法により、粉砕トナーと重合トナーとに大別される。
粉砕トナーの製造方法としては、例えば、結着樹脂、色材、電荷制御剤、離型剤、磁性剤などの必要なトナー成分を、ヘンシェルミキサー及びボールミル等の混合機で十分に混合する。
次に、得られた混合物を、加熱ロール、ニーダ、エクストルーダ等の熱混練機を用いて溶融混練し、樹脂成分を相溶させ、トナー成分を均一に分散させる。その後、得られた混練物を冷却固化し、ハンマーミル及びジェットミル等で粉砕し、サイクロン及びミクロンセパレーター等で分級して造粒し、所望のトナーを得る。
さらに必要に応じて表面処理剤などを、ヘンシェルミキサー等の混合機で混合することもできる。
一方、重合トナーの製造方法としては、例えば、ディスク及び多流体ノズル等を用いて溶融混合物を空気中に霧化し球状トナー粒子を得る方法；懸濁重合法を用いて直接トナー粒子を生成する方法；単量体には可溶で得られる重合体が不要な水系有機溶剤を用い直接トナー粒子を生成する分散重合法、水溶性極性重合開始剤存在下で直接重合しトナー粒子を生成するソープフリー重合法などの乳化重合法；予め一次極性乳化重合粒子を調製後、反対電荷を有する極性粒子を加え会合させるヘテロ凝集法等を用いる。
中でも、重合性モノマーと他のトナー成分とを含むモノマー組成物を直接重合してトナー粒子を生成する方法が好ましい。また、一旦得られた重合粒子に更に単量体を吸着させた後、重合開始剤を用い重合させるシード重合方法も好ましい。
以上の様にして得られたトナーは、必要に応じてキャリアと混合される。混合は、Ｖブレンダーなどを用いて行われる。
一方、湿式トナーの場合は、ボールミル及びアトライタ等の混合機にトナー成分とキャリア液体とを投入し、十分に分散させて、混合工程および造粒工程を同時に行う。
【００３５】
なお、上記実施形態の説明は、本発明を説明するためのものであって、特許請求の範囲に記載の発明を限定し、或は範囲を減縮するものではない。又、本発明の各部構成は上記実施形態に限らず、特許請求の範囲に記載の技術的範囲内で種々の変形が可能である。
【００３６】
【発明の効果】
本発明の請求項１記載の芳香・消臭剤を含むトナーは、電子写真方式で用いられるトナーであって、芳香・消臭剤とバインダ樹脂成分を主成分とするので環境負荷が少なく、デジタルデータにより大きさや形状などを自由に変えた画像・文字やマークなどを含む各種印刷部をシート基材などの被処理物面に容易に形成でき、また印刷用版が必要でないので、無版方式であり、オンデマンドで少量・多種類の注文にも応じることもでき、芳香・消臭剤を含むので、被処理物に芳香を付与したり、被処理物に消臭性能を付与したり、芳香・消臭剤を芯物質として含むマイクロカプセルを用いれば芳香・消臭の作用効果を持続させることができ、被処理物面を押したり擦ったりして芳香剤を芯物質として含むマイクロカプセルを破壊して芳香を発するようにしたりすることができるという顕著な効果を奏する。
【００３７】
本発明の請求項２記載の電子写真方式用現像剤は、トナーと、芳香・消臭剤とを含むので、上記芳香・消臭剤を含むトナーとほぼ同様の機能を有するという顕著な効果を奏する。
【００３８】
本発明の請求項３は、シート基材面の所定部に、請求項１あるいは請求項２記載の芳香・消臭剤を含むトナーないし電子写真方式用現像剤による印刷部が形成されてなるので、構成が簡単で安価であり、そしてデジタルデータにより大きさや形状などを自由に変えた画像・文字やマークなどの各種の印刷部を容易に形成でき、また印刷用版が必要でないのでオンデマンドで少量・多種類のパーソナル用途などの注文にも応じることもでき、また印刷部に芳香・消臭剤が含まれるので、芳香を付与したり、消臭性能を付与したり、芳香・消臭剤を芯物質として含むマイクロカプセルを用いれば芳香・消臭の作用効果を持続させることができ、印刷部を押したり擦ったりして芳香剤を芯物質として含むマイクロカプセルを破壊して芳香を発したりできるので、ダイレクトメール、親展ハガキ、カレンダー、各種のシート状パッケージや商品、入場券、領収書、有価証券、磁気カード、ＩＣカード、リライトカードなどの種々の用途に適用できるという顕著な効果を奏する。
【図面の簡単な説明】
【図１】本発明の芳香・消臭剤を含むトナーを用いて印字したシートの一実施例を示す説明図である。
【図２】本発明の芳香・消臭剤を含むトナーを用いて形成した印刷部（保護層）を有する他のシートである磁気カードの断面を示す断面説明図である。
【図３】本発明の芳香・消臭剤を含むトナーを用いて形成した他の印刷部を有する他のシートの断面を示す断面説明図である。
【符号の説明】
１　有価証券
１Ａ　磁気カード
１Ｂ　シート
２　シート基材
２Ａ　カード基材
２Ｂ　粘着シート基材
３　文字（印刷部）
３Ａ　磁気記録層
４　アンカー層
５　隠蔽層
６　印刷層
７Ａ、７Ｂ　印刷部
８　芳香・消臭剤
９　粘着層
【図１】
2004086042.tif 000003
【図２】
2004086042.tif 000004
【図３】
2004086042.tif 000005